(57)【要約】【課題】抜け止めが施されていながら、外箱に対する内箱の滑りが安定しており、しかも組立が簡単なスライド式カートンを提供すること。【解決手段】外箱１０の上板１３と各側板１２，１４との連設部にはそれぞれ所定長さの切込が設けられており、内箱２０の係止板２８には先端の左右両側に外箱１０の各切込にそれぞれ入り込む突出部分２８ａ，２８ｂが設けられており、内箱２０は係止板２８と後カバー板２９がともに左右の上面板２６，２７に被さった状態でかつ係止板２８における左右両側の突出部分２８ａ，２８ｂが外箱１０の各切込にそれぞれ入り込んだ状態で外箱１０の中にセットされ、外箱１０から一定の距離だけ引き出すことができるようになっており、内箱２０の側板２２又は底板には、内箱２０を外箱１０から一定の距離を引き出した時に外箱１０から露出する中身取出し用の開口αが設けられている。【選択図】図１
2008230629.tif 000002
【特許請求の範囲】
【請求項１】
細長い角筒状をした外箱とそれに挿入する内箱とからなり、外箱は下板、側板、上板、側板及び糊代板を備えるとともに、その上板と各側板との連設部にはそれぞれ所定長さの切込が設けられており、内箱は底板、底板の左右からそれぞれ立設する側板、底板の前後からそれぞれ立設する前方端板及び後方端板、前方端板の上辺に連設する係止板、後方端板の上辺に連設する後カバー板、左右の側板の上辺にそれぞれ連設する上面板を備えるとともに、その係止板には先端の左右両側に外箱の各切込にそれぞれ入り込む突出部分が設けられており、内箱は係止板と後カバー板がともに左右の上面板に被さった状態でかつ係止板における左右両側の突出部分が外箱の各切込にそれぞれ入り込んだ状態で外箱の中にセットされ、外箱から一定の距離だけ引き出すことができるようになっており、内箱の側板又は底板には、内箱を外箱から一定の距離を引き出した時に外箱から露出する中身取出し用の開口が設けられていることを特徴とするスライド式カートン。
【発明の詳細な説明】
【技術分野】
【０００１】
本発明は、紙器用の板紙等からなるカートンの技術分野に属し、詳しくは、粒状の菓子類を収納して販売するために用いられるスライド式カートンに関するものである。
【背景技術】
【０００２】
従来、この種のカートンとして、細長い角筒状をした板紙製の外箱（スリーブ）とそれに挿入する板紙製の内箱（中舟）との組合せからなるスライド式のものが知られている。このスライド式カートンは、内箱に粒状の菓子類（ガム、飴、チョコレート等）を一列又は数列に並べて入れ、それを外箱に差し込んで収納状態とするものであり、通常、サイズ的にはポケットやバッグなどに入れて携帯できる大きさになっている。
【０００３】
このようなスライド式カートンは、中身である粒状の菓子類を少しずつ出して食べることができ、しかも携帯できるので便利であるという利点を有しているが、使用中に内箱が外箱から抜け落ちるという心配があった。そこで、内箱の抜け落ちを防止するように構成したスライド式カートンが提案されている。
【特許文献１】特開弊９−２８６４３１号公報
【特許文献２】特開弊１１−３３４７２３号公報
【発明の開示】
【発明が解決しようとする課題】
【０００４】
上記した特許文献１に記載のスライド式カートンは、内箱底部の一部を折り返した舌片と外箱端部で折り返した舌片とを互いに引っ掛けることで抜け止めを行うようにしており、組み立てるに際しては、これらの舌片を折り返した状態として外箱に内箱を挿入する工程が必要であるため、組立工程が簡単ではない。また、特許文献２に記載のスライド式カートンは、内箱のストッパー片が外箱に形成される長窓状開口部に案内されて移動することで抜け外れを防止するようになっているが、案内機構が片側にしかなく、しかも広い開口に案内されるため、力の掛かり方によっては内箱のスライドと停止が安定しないことがあり、また一枚の紙材の加工によって製作できるものの、長窓状開口部には切り取り部を除去した際のギザギザが残るためにストッパー片が引っ掛かって内箱の滑りが悪くなるといった問題もある。
【０００５】
本発明は、このような問題点に鑑みてなされたものであり、その目的とするところは、抜け止めが施されていながら、外箱に対する内箱の滑りが安定しており、しかも組立が簡単なスライド式カートンを提供することにある。
【課題を解決するための手段】
【０００６】
上記の目的を達成するため、本発明のスライド式カートンは、細長い角筒状をした外箱とそれに挿入する内箱とからなり、外箱は下板、側板、上板、側板及び糊代板を備えるとともに、その上板と各側板との連設部にはそれぞれ所定長さの切込が設けられており、内箱は底板、底板の左右からそれぞれ立設する側板、底板の前後からそれぞれ立設する前方端板及び後方端板、前方端板の上辺に連設する係止板、後方端板の上辺に連設する後カバー板、左右の側板の上辺にそれぞれ連設する上面板を備えるとともに、その係止板には先端の左右両側に外箱の各切込にそれぞれ入り込む突出部分が設けられており、内箱は係止板と後カバー板がともに左右の上面板に被さった状態でかつ係止板における左右両側の突出部分が外箱の各切込にそれぞれ入り込んだ状態で外箱の中にセットされ、外箱から一定の距離だけ引き出すことができるようになっており、内箱の側板又は底板には、内箱を外箱から一定の距離を引き出した時に外箱から露出する中身取出し用の開口が設けられていることを特徴としている。
【発明の効果】
【０００７】
本発明のスライド式カートンは、内箱の係止板における左右両側の突出部分が外箱の上板と各側板との連設部にある左右の切込にそれぞれ入り込んだ状態になっており、内箱は外箱に対して左右両サイドをガタツキがない状態で案内されるので、外箱に対する内箱の滑りが安定することになり、外箱に対して内箱をスムースに出し入れすることができる。また、内容物の充填に際しては、内箱に内容物を充填してから、外箱で包むようにして組み立てればよいので、組立工程が簡単である。
【発明を実施するための最良の形態】
【０００８】
次に、本発明の実施の形態について図面を参照しながら詳細に説明する。
【０００９】
図１は本発明に係るスライド式カートンを構成する外箱と内箱を離間状態で示す斜視図であり、図１の外箱１０は図２にその展開図を示すブランクＡからなり、図１の内箱２０は図３にその展開図を示すブランクＢからなる。これらのブランクＡ，Ｂは、内箱２０が外箱１０の中に挿入可能でしかも外箱１０の中をスライドできるように各部分のサイズが決められている。
【００１０】
図２に示すブランクＡは、紙器用の板紙を打ち抜いて形成されたもので、下板１１、側板１２、上板１３、側板１４及び糊代板１５が折線を介して順次連設されており、上板１３と各側板１２，１４との連設部における前方寄りのところにそれぞれ所定長さの切込ａ，ｂが設けられている。この一対の切込ａ，ｂは、上板１３からそれぞれ側板１２，１４に向けて僅かに突き出た状態で形成されており、連設部を折り曲げると、図１に示すように上板１３の両サイドに小幅の凸片が庇のように突き出るとともに、その凸片の下側にスリットが形成されるようになっている。また、上板１３の前方には内箱を引き出しやすくするための切欠部１３ａが形成されている。
【００１１】
図３に示すブランクＢは、ブランクＡと同様に紙器用の板紙を打ち抜いて形成されたもので、細長い底板２１の両サイドにそれぞれ折線を介して側板２２，２３が連設され、前後にそれぞれ折線を介して前方端板２４と後方端板２５が連設されており、側板２２の前後には折曲げフラップ２２ａ，２２ｂが、側板２３の前後には折曲げフラップ２３ａ，２３ｂが連設されている。また、側板２２，２３の外側辺にはそれぞれ折線を介して上面板２６，２７が連設されており、前方端板２４の先端には係止板２８が、後方端板２５の先端には後カバー板２９が連設されている。
【００１２】
そして、係止板２８にはその先端の左右両側に突出部分２８ａ，２８ｂが設けられており、これらの突出部分２８ａ，２８ｂは、外箱１０の中に内箱２０をセットした時に、外箱１０の切込ａ，ｂで形成されるスリットに入り込んだ状態となり、内箱２０は外箱１０から一定の距離だけ引き出すことができるようになっている。すなわち、係止板２８の突出部分２８ａ，２８ｂがスリットの前方端部に当接するところまで引き出すことができる。また、一方の側板２２には中身取出し用の開口αが設けられており、この開口αは、内箱２０を外箱１０から一定の距離を引き出した時に外箱１０から露出する位置に設けられている。
【００１３】
ブランクＢの前方端板２４は、横幅が底板２１より僅かに大きくされており、内箱２０を外箱１０に挿入してスライドさせて閉じた時に、前方端板２４の左右が外箱１０における側板１２，１４の端縁外側に当たるようになっている。このようにカートンを閉じると内箱２０の前方側板２４が外箱１０の側板１２，１４に当接するが、係止板２８の突出部分２８ａ，２８ｂがスリットの後方端部に当接するのと略同時である。
【００１４】
また、前方端板２４と係止板２８との境界には係止板２８の方に向けて僅かに突き出た状態で切込ｃが形成されており、境界部分を折り曲げると図１に示すように前方端板２４の上辺に小さな凸片が突き出るようになっており、切込ｃはそれによって突き出る凸片が外箱１０の上板１３にある切欠部１３ａの前方に位置するように形成されている。
【００１５】
これらのブランクＡ，Ｂを組み立てて、図４に示す如き外箱１０と内箱２０とからなるスライド式カートンを形成するが、その手順は次のようである。
【００１６】
まず、ブランクＢを組み立てて内箱２０を形成する。具体的には、底板２１に対して左右の側板２２，２３、前方端板２４及び後方端板２５を立ち上げて保持し、内容物を充填する。この時、前方端板２４と折曲げフラップ２２ａ，２３ａを糊付けし、後方端板２５と折曲げフラップ２２ｂ，２３ｂを糊付けしてもよいし、或いは適宜の手段でロックしてもよい。その後、上面板２６，２７を内側に折り曲げ、その上から係止板２８と後カバー板２９が被さった状態とする。この時、係止板２８や後カバー板２９は上面板２６，２７と糊付けしてもよいし、或いは適宜の手段でロックしてもよい。
【００１７】
次に、内箱２０に対して外箱１０を取り付ける。具体的には、形成された内箱２０をブランクＡで覆うようにして上部から包み込む。その際に、内箱２０の係止板２８の突出部２８ａ，２８ｂが外箱１０の切込ａ，ｂに入り込むようにセットする。そして、このように内箱２０を包み込んだ状態で、糊代板１５の外側に下板１１の内面側を貼着してスライド式カートンが完成する。
【００１８】
図４のスライド式カートンから中身を取り出すには、外箱１０の上板１３における切欠部１３ａに指先を入れ、前方端板２４の上部に形成された凸片を前方へ押し出す。或いは、前方端板２４の両サイドを摘んで内箱２０を引き出す。或いは、後方端板２５を前方に向けて押すことで内箱２０を押し出す。これにより、内箱２０が一定の距離だけ引き出され、その時、図５に示すように、内箱２０の開口αが露出するので、ここから中身を振り出すことができる。また、中身の取出し後に内箱２０を閉じる時は、前方端板２４を押して外箱１０の中に押し込むと、内箱２０の前方側板２４が外箱１０の側板１２，１４に当接するか、これと略同時に係止板２８の突出部分２８ａ，２８ｂがスリットの後方端部に当接して、図４の状態に戻る。
【００１９】
以上、本発明の実施の形態について詳細に説明してきたが、本発明によるスライド式カートンは、上記実施の形態に何ら限定されるものではなく、本発明の趣旨を逸脱しない範囲において種々の変更が可能であることは当然のことである。
【００２０】
例えば、上記の例では、スライド式カートンを構成する外箱と内箱をそれぞれ紙器用の板紙で形成したが、これらは両方とも或いは片方だけをプラスチック製シートで形成してもよい。
【００２１】
また、上記の例では、中身取出し用の開口αを内箱２０における一方の側板２２に設けたが、この開口は左右どちらの側板に設けてもよいし、両方にあっても構わないものである。また、底板２１に設けるようにしてもよい。
【図面の簡単な説明】
【００２２】
【図１】本発明に係るスライド式カートンを構成する外箱と内箱を離間状態で示す斜視図である。
【図２】図１に示すスライド式カートンの外箱を形成するブランクの展開図である。
【図３】図１に示すスライド式カートンの内箱を形成するブランクの展開図である。
【図４】スライド式カートンを組み立てた状態で示す斜視図である。
【図５】図４のスライド式カートンを開けた状態で示す斜視図である。
【符号の説明】
【００２３】
Ａ，Ｂ  ブランク
１０  外箱
１１  下板
１２  側板
１３  上板
１３ａ  切欠部
１４  側板
１５  糊代板
２０  内箱
２１  底板
２２  側板
２２ａ，２２ｂ  折曲げフラップ
２３  側板
２３ａ，２３ｂ  折曲げフラップ
２４  前方端板
２５  後方端板
２６，２７  上面板
２８  係止板
２８ａ，２８ｂ  突出部分
２９  後カバー板
ａ，ｂ，ｃ  切込
α  開口
【図１】
2008230629.tif 000003
【図２】
2008230629.tif 000004
【図３】
2008230629.tif 000005
【図４】
2008230629.tif 000006
【図５】
2008230629.tif 000007